(57)【要約】【課題】クレードル装置から端末装置を取り出すときの端末装置の落下を防止する。【解決手段】クレードル装置は、第１凹部を有する端末装置を着脱可能に収納する。このクレードル装置は、第２凹部と、ロック部材と、ポップアップ部材と、を備える。第２凹部は、端末装置の、第１凹部を含む少なくとも一部を収納可能である。ロック部材は、端末装置の第１凹部に係合可能に形成され、第２凹部に収納された端末装置の第１凹部に係合して端末装置を保持する。ポップアップ部材は、ロック部材と連結され、第１凹部に係合したロック部材を押し上げることで、端末装置を、ロック部材に保持された状態で、第２凹部から押し上げる。【選択図】図２
2016158235.tif 000002
【特許請求の範囲】
【請求項１】
第１凹部を有する端末装置を着脱可能に収納するクレードル装置であって、
前記端末装置の、前記第１凹部を含む少なくとも一部を収納可能な第２凹部と、
前記第１凹部に係合可能に形成され前記第２凹部に収納された前記端末装置の前記第１凹部に係合して前記端末装置を保持するロック部材と、
前記ロック部材と連結され、前記第１凹部に係合した前記ロック部材を押し上げることで、前記端末装置を、前記ロック部材に保持された状態で、前記第２凹部から押し上げるポップアップ部材と、
を備えたクレードル装置。
【請求項２】
前記ポップアップ部材は、
前記端末装置が前記第２凹部に収納されるときに、前記端末装置の前記第１凹部に係合した状態で前記端末装置に押圧される前記ロック部材によって押し下げられる、
請求項１に記載のクレードル装置。
【請求項３】
前記ポップアップ部材は、
前記端末装置が前記第２凹部に収納されているときの収納位置と、前記端末装置が前記第２凹部から押し上げられているときのポップアップ位置との間を移動可能であり、
前記ロック部材は、
前記第１凹部に係合するロック位置と、前記第１凹部との係合から外れる開放位置との間を移動可能である、
請求項１に記載のクレードル装置。
【請求項４】
前記ロック部材は、
前記ロック位置において、前記端末装置が前記第２凹部に収納されているときに前記第２凹部の底面に対向する第１面および前記第１面に対向する第２面を有する前記第１凹部の前記第１面と当接可能であり、前記端末装置が前記第２凹部から押し上げられるときに前記第１面と当接して前記第１面を押圧し、前記端末装置が前記第２凹部に収納されるときに前記第１面と当接して前記第１面に押圧される第３面と、
前記ロック位置において前記第１凹部の前記第２面と当接可能であり、前記端末装置が前記第２凹部に収納されているとき、および、前記端末装置が前記第２凹部から押し上げられているときに、前記第１凹部の前記第２面と当接して前記端末装置を保持する第４面と、を備える、
請求項３に記載のクレードル装置。
【請求項５】
第１位置と第２位置との間を移動可能なボタンと、
前記ポップアップ部材を前記収納位置に保持する第３位置と、前記ポップアップ部材の前記収納位置から前記ポップアップ位置への移動が可能となる第４位置との間を移動可能であり、前記第１位置から前記第２位置に移動する前記ボタンに押圧されて前記第３位置から前記第４位置に移動する可動部材と、をさらに備えた、
請求項３に記載のクレードル装置。
【請求項６】
前記可動部材は、
前記ポップアップ位置にある前記ポップアップ部材により前記第４位置に保持され、
前記ポップアップ部材が前記ポップアップ位置から前記収納位置に移動することで前記第４位置から前記第３位置に移動し、前記第４位置から前記第３位置に移動するときに前記ボタンを押圧して前記ボタンを前記第２位置から前記第１位置に移動させる、
請求項５に記載のクレードル装置。
【請求項７】
前記ポップアップ部材を前記収納位置から前記ポップアップ位置に向けて付勢するポップアップバネを備えた、
請求項５に記載のクレードル装置。
【請求項８】
前記ロック部材を前記開放位置から前記ロック位置に向けて付勢するロックバネを備えた、
請求項５に記載のクレードル装置。
【請求項９】
前記可動部材を前記第４位置から前記第３位置に向けて付勢するバネを備えた、
請求項５に記載のクレードル装置。
【請求項１０】
第１凹部を有する端末装置と、
前記端末装置を着脱可能に収納するクレードル装置と、
を備えたクレードルセットであって、
前記クレードル装置は、
前記端末装置の、前記第１凹部を含む少なくとも一部を収納可能な第２凹部と、
前記第１凹部に係合可能に形成され前記第２凹部に収納された前記端末装置の前記第１凹部に係合して前記端末装置を保持するロック部材と、
前記ロック部材と連結され、前記第１凹部に係合した前記ロック部材を押し上げることで、前記端末装置を、前記ロック部材に保持された状態で、前記第２凹部から押し上げるポップアップ部材と、を備えた、
クレードルセット。
【発明の詳細な説明】
【技術分野】
【０００１】
本開示は、端末装置を着脱可能に保持するクレードル装置に関する。
【背景技術】
【０００２】
特許文献１は、ハンドセットを着脱可能に保持するクレードル装置を開示する。このクレードル装置では、ユーザがハンドセットをクレードル装置から取り出すときに、ハンドセットが、クレードル装置に収納された状態から、クレードル装置からポップアップした状態になる。これにより、ユーザは、ハンドセットを、クレードル装置から容易に取り外すことができる。
【先行技術文献】
【特許文献】
【０００３】
【特許文献１】特開２００３−６９６８２号公報
【発明の概要】
【発明が解決しようとする課題】
【０００４】
本開示は、端末装置を着脱可能に保持するとともに、ユーザが端末装置を取り出すときに端末装置が落下することを防止できるクレードル装置を提供する。
【課題を解決するための手段】
【０００５】
本開示におけるクレードル装置は、第１凹部を有する端末装置を着脱可能に収納するクレードル装置である。このクレードル装置は、第２凹部と、ロック部材と、ポップアップ部材と、を備える。第２凹部は、端末装置の、第１凹部を含む少なくとも一部を収納可能である。ロック部材は、端末装置の第１凹部に係合可能に形成され、第２凹部に収納された端末装置の第１凹部に係合して端末装置を保持する。ポップアップ部材は、ロック部材と連結され、第１凹部に係合したロック部材を押し上げることで、端末装置を、ロック部材に保持された状態で、第２凹部から押し上げる。
【０００６】
本開示におけるクレードルセットは、第１凹部を有する端末装置と、端末装置を着脱可能に収納するクレードル装置と、を備える。クレードル装置は、第２凹部と、ロック部材と、ポップアップ部材と、を備える。第２凹部は、端末装置の、第１凹部を含む少なくとも一部を収納可能である。ロック部材は、端末装置の第１凹部に係合可能に形成され、第２凹部に収納された端末装置の第１凹部に係合して端末装置を保持する。ポップアップ部材は、ロック部材と連結され、第１凹部に係合したロック部材を押し上げることで、端末装置を、ロック部材に保持された状態で、第２凹部から押し上げる。
【発明の効果】
【０００７】
本開示におけるクレードル装置は、ユーザが端末装置を取り出すときの端末装置の落下を防止するのに有効である。
【図面の簡単な説明】
【０００８】
【図１】図１は、実施の形態１におけるハンドセットを収納したクレードルの外観の一例を模式的に示す斜視図である。
【図２】図２は、実施の形態１におけるクレードルの一構成例を模式的に示す分解斜視図である。
【図３Ａ】図３Ａは、実施の形態１におけるハンドセットの一部を拡大して模式的に示す部分断面図である。
【図３Ｂ】図３Ｂは、実施の形態１におけるハンドセットの一例を模式的に示す底面図である。
【図４】図４は、実施の形態１におけるロック爪の一例を模式的に示す側面図である。
【図５】図５は、実施の形態１における押し上げ部材の一例を模式的に示す側面図である。
【図６】図６は、実施の形態１におけるクレードルにハンドセットが収納された状態の一例を模式的に示す平面図である。
【図７】図７は、実施の形態１におけるクレードルにハンドセットが収納された状態の一例を模式的に示す断面図である。
【図８】図８は、実施の形態１におけるクレードルからハンドセットがポップアップした状態の一例を模式的に示す断面図である。
【図９】図９は、実施の形態１におけるロック爪が凹部と底面との境界に位置する状態の一例を模式的に示す断面図である。
【図１０】図１０は、実施の形態１におけるクレードルからハンドセットが取り出された状態の一例を模式的に示す断面図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために提供されるのであって、これらにより特許請求の範囲に記載の主題を限定することは意図されていない。
【００１１】
説明中で同じ符号、記号、数字は、特に説明が無い限り、同じ構成要素を示すものとする。また、特に説明が無い限り本開示に必須でない構成要素は図示しないものとする。
【００１２】
（実施の形態１）
以下、図１〜図１０を用いて、実施の形態１を説明する。実施の形態１では、ポップアップ式のクレードル２００について説明する。本開示では、クレードル２００に収納されたハンドセット１００が例えばユーザに取り出されるとき等に、ハンドセット１００の一部がクレードル２００から飛び出した状態のことを「ポップアップ」という。
【００１３】
［１−１．構成］
図１は、実施の形態１におけるハンドセット１００を収納したクレードル２００の外観の一例を模式的に示す斜視図である。
【００１４】
クレードルセット１０００は、ハンドセット１００とクレードル２００とを備える。クレードル２００は、ハンドセット１００を着脱可能に収納することができる。クレードルセット１０００はクレードルセットの一例であり、クレードル２００はクレードル装置の一例であり、ハンドセット１００は端末装置の一例である。
【００１５】
ハンドセット１００は、例えば、コンピュータの操作端末である。ハンドセット１００は、一般に知られている操作端末であるので、機能に関する詳細な説明は省略する。
【００１６】
本実施の形態において、ハンドセット１００は、例えば航空機に搭載されたサーバコンピュータの操作端末としての機能を備えていてもよく、ハンドセット１００を収納したクレードル２００は、航空機の座席に設置されていてもよい。この構成例では、航空機の乗客は、ハンドセット１００をクレードル２００から取り出して操作することにより、航空機内で提供される各種サービスを利用することができる。以下、ハンドセット１００を操作する者を「ユーザ」という。
【００１７】
なお、この構成は、単なる一実施例に過ぎない。ハンドセット１００は、何らコンピュータの操作端末に限定されず、クレードル２００の設置場所も、何ら航空機の座席に限定されない。クレードル２００は、例えば、バスや鉄道車両、または船舶等の移動体、あるいは映画館や劇場等の公共の場所、等に設けられた座席に設置されてもよい。クレードル２００は、座席以外の場所に設置されてもよい。また、ハンドセット１００は、通話機能や通信機能、または演算機能等を備えていてもよく、表示装置を備えていてもよい。あるいは、座席に設置された表示装置とハンドセット１００とが連係して動作するように構成されていてもよい。
【００１８】
次に、ハンドセット１００およびクレードル２００の構造を説明する。
【００１９】
なお、以下では、各図の説明に、便宜的に、ＸＹＺ軸を用いる。本実施の形態では、クレードル２００の長手方向をＸ軸とし、凸部２０１ｂ（図２参照）に対するボタン２０２（図２参照）の設置方向をＸ軸の正方向とする。また、クレードル２００に対するハンドセット１００の着脱方向をＹ軸とし、ハンドセット１００をクレードル２００から取り出す方向をＹ軸の正方向とする。また、Ｘ軸およびＹ軸のそれぞれに垂直な方向をＺ軸とし、Ｘ軸正方向を左側、Ｘ軸負方向を右側とするＺ軸の向きをＺ軸の正方向とする。また、ハンドセット１００の説明に用いるＸＹＺ軸は、ハンドセット１００をクレードル２００に収納したときのＸＹＺ軸を表しているものとする。また、Ｘ軸の正側から負方向に向かって見たクレードル２００（またはハンドセット１００）を、クレードル２００（またはハンドセット１００）の正面とし、Ｚ軸の負側から正方向に向かって見たクレードル２００（またはハンドセット１００）を、クレードル２００（またはハンドセット１００）の側面（右側面）とする。
【００２０】
図２は、実施の形態１におけるクレードル２００の一構成例を模式的に示す分解斜視図である。図２には、ハンドセット１００の外観の一例も併せて示す。
【００２１】
図３Ａは、実施の形態１におけるハンドセット１００の一部を拡大して模式的に示す部分断面図である。図３Ａは、ハンドセット１００に設けられた凹部１０３の形状を模式的に示すためにハンドセット１００を側面側から見た部分断面図（図３ＢにＡ−Ａ線で示す部分断面図）であり、ハンドセット１００の輪郭のみを示している。
【００２２】
図３Ｂは、実施の形態１におけるハンドセット１００の一例を模式的に示す底面図である。図３Ｂは、ハンドセット１００に設けられた凹部１０３および凹部１０９の配置位置を模式的に示すためにハンドセット１００を底面側から見た図である。ハンドセット１００は、側面から見たときに、底面側の辺が上面（ボタン１０２が配置されている面）側の辺より短いため、図３Ｂに凹部１０３および凹部１０９の配置位置を模式的に示すことができる。
【００２３】
まず、ハンドセット１００について説明する。
【００２４】
ハンドセット１００は、本体１０１と、ユーザがハンドセット１００を操作するときに使用する複数のボタン１０２と、を備える。本体１０１には、凹部１０３と、ハンドセット１００をクレードル２００の収納部２０１ａに収納したときにクレードル２００の収納部２０１ａの底面に対向する底面１０４と、が設けられている。凹部１０３は、端末装置が有する第１凹部の一例である。
【００２５】
図２、図３Ａに示すように、凹部１０３は、ハンドセット１００の長手方向（Ｘ軸正方向）の先端の面（正面）に、Ｘ軸の負方向に凹状に窪んだ形状で形成されている。
【００２６】
凹部１０３は、ハンドセット１００をクレードル２００の収納部２０１ａに収納したときに、収納部２０１ａの底面に実質的に平行となるように形成された面１０３ａおよび面１０３ｂを備える。凹部１０３の面１０３ｂは底面１０４よりもＹ軸正方向側に設けられ、面１０３ａは面１０３ｂよりもさらにＹ軸正方向側に設けられている。したがって、面１０３ａと面１０３ｂとは互いに対向し、また、ハンドセット１００をクレードル２００の収納部２０１ａに収納したときに、面１０３ａは、クレードル２００の収納部２０１ａの底面に対向する向きとなる。なお、底面１０４の面１０３ｂ近傍は、図３Ａに一例を示すように、丸みを帯びた形状に形成されてもよい。なお、面１０３ａは第１面の一例であり、面１０３ｂは第２面の一例である。
【００２７】
また、ハンドセット１００は、凹部１０３が形成された正面側の面に対向する面（ハンドセット１００の長手方向（Ｘ軸負方向）の先端の面。以下、背面ともいう）に、クレードル２００の凸部２０１ｂに嵌合するように、Ｘ軸の正方向に凹状に窪んだ形状で形成された一対の凹部１０９（図３Ｂ参照）を備えている。なお、凹部１０９の数は何ら２つに限定されない。
【００２８】
次に、クレードル２００について説明する。
【００２９】
図２に示すように、クレードル２００は、本体２０１と、ボタン２０２と、カバー２０３と、可動部材２０４と、バネ２０５と、ロック爪２０６と、押し上げ部材２０７と、バネ２０８と、軸２０９と、バネ２１０と、ベース部材２１１と、ネジ２１２と、を備える。ボタン２０２はボタンの一例であり、可動部材２０４は可動部材の一例であり、ロック爪２０６はロック部材の一例であり、押し上げ部材２０７はポップアップ部材の一例である。また、バネ２１０は、ポップアップバネの一例であり、バネ２０８は、ロックバネの一例である。バネ２０５は、可動部材を後述の第４位置から後述の第３位置に向けて付勢するバネの一例である。
【００３０】
本体２０１は、ハンドセット１００を収納可能な収納部２０１ａと、一対の凸部２０１ｂと、を備える。収納部２０１ａは第２凹部の一例である。なお、凸部２０１ｂの数は何ら２つに限定されない。
【００３１】
収納部２０１ａは、底面１０４および凹部１０３を含むハンドセット１００の一部または全部を収納可能に形成されている。
【００３２】
凸部２０１ｂは、収納部２０１ａ内の長手方向（Ｘ軸負方向）の先端の側面（収納部２０１ａに収納されたハンドセット１００の背面に対向する面）に、ハンドセット１００の背面に設けられた凹部１０９に嵌合するように、Ｘ軸正方向に突出した形状で形成されている。したがって、ハンドセット１００を収納部２０１ａに収納するときに、凸部２０１ｂは、ハンドセット１００の凹部１０９に嵌合する。また、後述するように、ハンドセット１００をクレードル２００の収納部２０１ａに収納すると、ハンドセット１００の凹部１０３にロック爪２０６が係合する。これにより、ハンドセット１００は、凸部２０１ｂおよびロック爪２０６によって保持された状態で、収納部２０１ａに収納される。
【００３３】
また、本体２０１は、ボタン２０２が貫通して突出するように形成されたボタン孔２０１ｃを、凸部２０１ｂと対向する側に（すなわち、収納部２０１ａに収納されたハンドセット１００の凹部１０３の近傍に）有する。
【００３４】
図１に、ボタン孔２０１ｃを通して設置されたボタン２０２を示す。図１に示すように、ボタン２０２は、ボタン孔２０１ｃにＹ軸の負側から正方向に貫通して突出した状態で設置される。そして、ボタン２０２は、ボタン孔２０１ｃから突出したボタン２０２を、ユーザがＹ軸負方向に押し込むことができるように、構成されている。本実施の形態では、ボタン孔２０１ｃから突出したボタン２０２の位置（図１、図７参照）を「第１位置」とし、ユーザによりＹ軸負方向に押し込まれたときのボタン２０２の位置（図８〜図１０参照）を「第２位置」とする。このように、ボタン孔２０１ｃを通して設置されたボタン２０２は、第１位置と、第１位置よりもＹ軸負方向側の第２位置との間を移動可能に構成されている。なお、図面に示す第１位置は第１位置の一例であり、図面に示す第２位置は第２位置の一例である。
【００３５】
次に、ボタン２０２の周辺構造を説明する。
【００３６】
ボタン２０２は、一対の爪２０２ａを有する。爪２０２ａは、ボタン２０２の底面側からＹ軸負方向に向けて突出して設けられ、Ｘ軸正方向側に斜辺を有する形状に形成されている。
【００３７】
可動部材２０４は、保持部材２０４ａと、一対の被押圧部材２０４ｂと、を有する。
【００３８】
カバー２０３は、可動部材２０４の可動方向を制限する部材である。カバー２０３は、ベース部材２１１に固定されている。
【００３９】
可動部材２０４は、カバー２０３と組み合わされて配置される。可動部材２０４は、カバー２０３によって可動方向が制限され、Ｘ軸方向のみに移動可能である。可動部材２０４は、ボタン２０２に連動して移動するように構成されている。ボタン２０２が第１位置にあるときの可動部材２０４の位置を「第３位置」（図７参照）とし、ボタン２０２が第２位置にあるときの可動部材２０４の位置を「第４位置」（図８〜図１０参照）とする。第４位置は、第３位置よりもＸ軸正方向側の位置である。このように、可動部材２０４は、ボタン２０２に連動して、第３位置と第４位置との間を移動可能に構成されている。なお、図面に示す第３位置は第３位置の一例であり、図面に示す第４位置は第４位置の一例である。
【００４０】
具体的には、可動部材２０４は、ベース部材２１１に固定されたカバー２０３に一端が当接し他端が可動部材２０４に当接したバネ２０５により、カバー２０３に対してＸ軸負方向（第４位置から第３位置へ向かう方向）に付勢されている。一方、ボタン２０２の爪２０２ａは被押圧部材２０４ｂに当接しており、爪２０２ａの先端は、ボタン２０２がＹ軸負方向に押し込まれたときに、被押圧部材２０４ｂをカバー２０３に対してＸ軸正方向に押圧するように、Ｘ軸正方向側に斜辺を有する形状に形成されている。
【００４１】
したがって、ユーザがボタン２０２に押し込む力を加えていないとき、可動部材２０４は、バネ２０５によって第３位置に保持され、ボタン２０２は、ボタン２０２の爪２０２ａが可動部材２０４の被押圧部材２０４ｂによりＹ軸正方向に押し上げられて、第１位置に保持される。一方、ボタン２０２がユーザに押し込まれて第１位置から第２位置に移動すると、ボタン２０２の爪２０２ａが可動部材２０４の被押圧部材２０４ｂをＸ軸正方向に押圧し、可動部材２０４は第３位置から第４位置に移動する。
【００４２】
なお、詳細は後述するが、可動部材２０４が第３位置のとき、押し上げ部材２０７は可動部材２０４によって可動範囲が制限されて第７位置に保持される。可動部材２０４が第３位置から第４位置に移動すると、押し上げ部材２０７は、可動部材２０４による規制が外れて第８位置に移動する。押し上げ部材２０７が第８位置に移動すると、今度は、可動部材２０４の可動範囲が押し上げ部材２０７によって制限され、可動部材２０４は第４位置に保持される。そのため、ユーザがボタン２０２を押し込む動作をやめた後も、押し上げ部材２０７が第８位置から第７位置に戻るまでは、ボタン２０２は第２位置に保持される。押し上げ部材２０７が第８位置から第７位置に戻り、バネ２０５が可動部材２０４をＸ軸負方向に付勢する力によって可動部材２０４が第４位置から第３位置に戻ると、ボタン２０２は、第２位置から元の第１位置に戻る。
【００４３】
次に、ロック爪２０６について説明する。
【００４４】
図４は、実施の形態１におけるロック爪２０６の一例を模式的に示す側面図である。
【００４５】
ロック爪２０６は、面２０６ａと、面２０６ｂと、孔２０６ｃと、爪先端２０６ｄと、を備える。
【００４６】
ロック爪２０６は、ハンドセット１００の凹部１０３と係合可能な形状に形成されている。
【００４７】
ロック爪２０６の面２０６ａは、ハンドセット１００の凹部１０３の面１０３ａと当接可能な形状に形成されている。ロック爪２０６の面２０６ｂは、ハンドセット１００の凹部１０３の面１０３ｂと当接可能な形状に形成されている。面２０６ａは第３面の一例であり、面２０６ｂは第４面の一例である。
【００４８】
詳細は後述するが、ロック爪２０６と押し上げ部材２０７とは連動して移動するように構成されている。そして、ハンドセット１００が収納部２０１ａからポップアップした状態から収納部２０１ａに押し込まれるとき、ロック爪２０６は、面２０６ａがハンドセット１００の面１０３ａに押圧されて押し下げられることで、押し上げ部材２０７を、第８位置から後述する第７位置へ移動させる。また、ロック爪２０６は、押し上げ部材２０７が第７位置から第８位置へ移動するときに押し上げ部材２０７に押し上げられる。このとき、ロック爪２０６は、面２０６ａがハンドセット１００の面１０３ａと当接してハンドセット１００をＹ軸正方向に押し上げ、ハンドセット１００を収納部２０１ａからポップアップさせる（図８参照）。
【００４９】
また、詳細は後述するが、ロック爪２０６は、面２０６ｂが、収納部２０１ａに収納されたハンドセット１００または収納部２０１ａからポップアップしたハンドセット１００の面１０３ｂと当接することにより、ハンドセット１００が収納部２０１ａから脱落するのを防止する（図７参照）。すなわち、第５位置に位置するロック爪２０６は、収納部２０１ａに収納されたハンドセット１００または収納部２０１ａからポップアップしたハンドセット１００を、収納部２０１ａから脱落しないように保持する。
【００５０】
なお、ハンドセット１００が収納部２０１ａに収納されているとき、凹部１０３の面１０３ａとロック爪２０６の面２０６ａとは、当接していてもよく、当接していなくてもよい。また、ハンドセット１００が収納部２０１ａに収納されているとき、凹部１０３の面１０３ｂとロック爪２０６の面２０６ｂとは、当接していてもよく、当接していなくてもよい。
【００５１】
孔２０６ｃには、後述するように軸２０９が挿入される。
【００５２】
爪先端２０６ｄは、面２０６ａと面２０６ｂとを結ぶ位置に設けられており、図４に一例を示すように、面２０６ａ側に丸みを帯びた形状で形成されてもよい。
【００５３】
次に、押し上げ部材２０７とロック爪２０６との関係について説明する。
【００５４】
図５は、実施の形態１における押し上げ部材２０７の一例を模式的に示す側面図である。
【００５５】
押し上げ部材２０７は、面２０７ａと、面２０７ｂと、孔２０７ｃと、を備える。面２０７ａは、Ｙ軸正方向を向くように形成された面であり、面２０７ｂは、Ｘ軸正方向を向くように形成された面である。面２０７ａ、面２０７ｂは、ともに、可動部材２０４の保持部材２０４ａと当接可能な形状に形成されている。
【００５６】
ロック爪２０６は、第５位置（図７、図８参照）と第６位置（図９参照）との間を移動可能に構成されている。本実施の形態では、ロック爪２０６が、収納部２０１ａに収納されたハンドセット１００または収納部２０１ａからポップアップしたハンドセット１００の凹部１０３と係合するときのロック爪２０６の位置を「第５位置」とし（図７、図８参照）、ロック爪２０６がハンドセット１００の凹部１０３との係合から開放されるときのロック爪２０６の位置を「第６位置」とする（図９参照）。なお、第５位置はロック位置の一例であり、第６位置は開放位置の一例である。
【００５７】
ロック爪２０６は、ロック爪２０６の孔２０６ｃと押し上げ部材２０７の孔２０７ｃとが互いに重なる位置に配置される。このとき、ロック爪２０６と押し上げ部材２０７との間に、バネ２０８が配置される。そして、ロック爪２０６の孔２０６ｃ、押し上げ部材２０７の孔２０７ｃ、およびバネ２０８に、軸２０９が挿入され、ロック爪２０６と押し上げ部材２０７とが連結される。これにより、押し上げ部材２０７は、ロック爪２０６を、Ｚ軸に平行な軸２０９を中心軸とした回動が可能な状態で支持し、ロック爪２０６は、第５位置と第６位置との間を移動することが可能となる。また、ロック爪２０６は、バネ２０８により、第６位置から第５位置に向かう方向に付勢される。また、ロック爪２０６と押し上げ部材２０７とは連動して移動するようになる。
【００５８】
そして、ハンドセット１００が収納部２０１ａ内に収納されているとき（図７参照）、またはハンドセット１００が収納部２０１ａからポップアップした状態のとき（図８参照）、ハンドセット１００の凹部１０３と第５位置のロック爪２０６とが係合することで、ハンドセット１００は、収納部２０１ａからの脱落が防止される。また、ロック爪２０６が第５位置から第６位置に移動することで、ハンドセット１００の凹部１０３はロック爪２０６から開放されて、ユーザは、ハンドセット１００をクレードル２００から取り外すことができる。
【００５９】
なお、バネ２０８は、ロック爪２０６を、第６位置から第５位置へ向かう方向に付勢しているので、ロック爪２０６が凹部１０３と係合しているとき、またはロック爪２０６に外部からの力が加えられていないとき、ロック爪２０６は、バネ２０８に押圧されて第５位置に保持される（図７、図８、図１０参照）。
【００６０】
押し上げ部材２０７は、第７位置と第８位置との間を移動可能に構成されている。本実施の形態では、ハンドセット１００が収納部２０１ａに収納されているときの押し上げ部材２０７の位置を「第７位置」（図７参照）とする。また、ハンドセット１００が収納部２０１ａからポップアップしているとき、またはハンドセット１００が収納部２０１ａから取り外されているときの押し上げ部材２０７の位置を「第８位置」（図８〜図１０参照）とする。第８位置は、第７位置よりもＹ軸正方向側の位置である。なお、第７位置は収納位置の一例であり、第８位置はポップアップ位置の一例である。
【００６１】
なお、ハンドセット１００が収納部２０１ａから取り外されているときの第８位置（図１０参照）は、ハンドセット１００が収納部２０１ａからポップアップしているときの第８位置（図８参照）よりも、Ｙ軸正方向側であってもよい。
【００６２】
ベース部材２１１と押し上げ部材２０７との間には、一端がベース部材２１１に当接し、他端が押し上げ部材２０７に当接したバネ２１０が配置されている。押し上げ部材２０７は、バネ２１０により、ベース部材２１１に対してＹ軸正方向（第７位置から第８位置へ向かう方向）に付勢されている。
【００６３】
押し上げ部材２０７が第８位置から第７位置へ移動すると、可動部材２０４は、バネ２０５に付勢されて第４位置から第３位置に移動し、第３位置に保持される。このとき、押し上げ部材２０７は、バネ２１０によりＹ軸正方向に付勢されるが、押し上げ部材２０７の面２０７ａが可動部材２０４の保持部材２０４ａに当接して、可動範囲が制限される。これにより、押し上げ部材２０７は、第７位置に保持される（図７参照）。また、ボタン２０２は、可動部材２０４が第３位置に保持されることで、第１位置に保持される。
【００６４】
ボタン２０２がユーザに押し込まれて第１位置から第２位置に移動し、可動部材２０４が第３位置から第４位置に移動すると、押し上げ部材２０７の面２０７ａは、押し上げ部材２０７を第７位置に保持していた可動部材２０４の保持部材２０４ａから開放される。これにより、押し上げ部材２０７は、バネ２１０に付勢されて第７位置から第８位置に移動する。ユーザがボタン２０２を押し込む動作をやめると、可動部材２０４はバネ２０５によりＸ軸負方向に付勢されるが、今度は、可動部材２０４の保持部材２０４ａが、第８位置にある押し上げ部材２０７の面２０７ｂに当接し、可動部材２０４の可動範囲が制限される。これにより、可動部材２０４は、第４位置に保持される（図８参照）。また、ボタン２０２は、可動部材２０４が第４位置に保持されることで、第２位置に保持される。
【００６５】
ベース部材２１１は、ネジ２１２によって、クレードル２００の本体２０１に固定される。
【００６６】
［１−２．動作］
［１−２−１．ハンドセット取り出し動作］
次に、図６〜図１０を用いて、クレードル２００からハンドセット１００を取り出すときの動作について説明する。
【００６７】
図６は、実施の形態１におけるクレードル２００にハンドセット１００が収納された状態の一例を模式的に示す平面図である。図６は、ハンドセット１００を収納したクレードル２００をＹ軸正側から負方向に向かって見たときの平面図である。
【００６８】
図７は、実施の形態１におけるクレードル２００にハンドセット１００が収納された状態の一例を模式的に示す断面図である。
【００６９】
図８は、実施の形態１におけるクレードル２００からハンドセット１００がポップアップした状態の一例を模式的に示す断面図である。
【００７０】
図９は、実施の形態１におけるロック爪２０６が凹部１０３と底面１０４との境界に位置する状態の一例を模式的に示す断面図である。
【００７１】
図１０は、実施の形態１におけるクレードル２００からハンドセット１００が取り出された状態の一例を模式的に示す断面図である。
【００７２】
なお、図７〜図１０は、図６に示すＣ−Ｃ線における断面図である。但し、図７〜図１０において、ハンドセット１００は輪郭のみを示し、バネ２０５およびバネ２１０は側面図を示している。
【００７３】
まず、ハンドセット１００がクレードル２００の収納部２０１ａに収納されている状態を説明する。
【００７４】
図７に示すように、ハンドセット１００がクレードル２００の収納部２０１ａに収納されているとき、クレードル２００のロック爪２０６は、バネ２０８によりＸ軸負方向に押圧されて第５位置に保持され、ハンドセット１００の凹部１０３と係合している。可動部材２０４は、バネ２０５によりＸ軸負方向に押圧されて第３位置に保持され、押し上げ部材２０７を第７位置に保持している。ボタン２０２は、可動部材２０４の被押圧部材２０４ｂにより爪２０２ａがＹ軸正方向に押し上げられて、第１位置に保持されている。本実施の形態において、ハンドセット１００は、このような状態、すなわち、ロック爪２０６によってクレードル２００からの脱落が防止された状態で、クレードル２００の収納部２０１ａに収納されている。なお、クレードル２００の収納部２０１ａに収納されているときのハンドセット１００の位置を「第９位置」とする。
【００７５】
次に、ハンドセット１００がクレードル２００の収納部２０１ａからポップアップした状態を説明する。
【００７６】
図８に示すように、クレードル２００のボタン２０２がユーザ（図示せず）によりＹ軸負方向に押し込まれて第１位置から第２位置へ移動すると、ボタン２０２の爪２０２ａと当接している可動部材２０４の被押圧部材２０４ｂは、Ｙ軸負方向に移動する爪２０２ａに押圧されてＸ軸正方向に移動する。これにより、可動部材２０４は第３位置から第４位置へ移動し、押し上げ部材２０７は、押し上げ部材２０７の面２０７ａに当接して押し上げ部材２０７の可動範囲を制限していた可動部材２０４の保持部材２０４ａから開放される。そして、押し上げ部材２０７は、バネ２１０によりＹ軸正方向に付勢されて、第７位置から第８位置へ移動する。
【００７７】
このとき、押し上げ部材２０７の移動に連動して、ロック爪２０６もＹ軸正方向に移動する。そして、ロック爪２０６は、ロック爪２０６の面２０６ａに当接しているハンドセット１００の凹部１０３の面１０３ａを、Ｙ軸正方向に押し上げる。これにより、ハンドセット１００は、図８に示すように、クレードル２００の収納部２０１ａから押し上げられた状態となる。このときのハンドセット１００の位置を「第１０位置」とする。第１０位置は、第９位置よりもＹ軸正方向側の位置である。そして、ハンドセット１００が第１０位置にある状態が「ハンドセット１００がポップアップした状態」である。このように、ユーザがボタン２０２を第１位置から第２位置へ押し込むことで、クレードル２００の収納部２０１ａに収納されていたハンドセット１００は、第９位置から第１０位置へポップアップする。
【００７８】
図８に示すように、ハンドセット１００がクレードル２００の収納部２０１ａからポップアップして第１０位置にあるときも、クレードル２００のロック爪２０６は、バネ２０８によりＸ軸負方向に押圧されて第５位置に保持され、ハンドセット１００の凹部１０３と係合している。したがって、ハンドセット１００は、このような状態、すなわち、ロック爪２０６によってクレードル２００からの脱落が防止された状態で、クレードル２００の収納部２０１ａからポップアップする。
【００７９】
押し上げ部材２０７が第７位置から第８位置に移動すると、今度は、可動部材２０４の保持部材２０４ａが、第８位置にある押し上げ部材２０７の面２０７ｂに当接し、可動部材２０４の可動範囲が制限される。これにより、可動部材２０４は、第４位置に保持された状態となる。そして、可動部材２０４が第４位置に保持されることで、ボタン２０２の爪２０２ａに当接してボタン２０２を第１位置に保持していた可動部材２０４の被押圧部材２０４ｂもＸ軸正方向に移動した状態で維持される。これにより、ボタン２０２は、ユーザがボタン２０２を押し込む動作をやめた後も第２位置に保持される。
【００８０】
次に、ハンドセット１００がクレードル２００から取り外されるときの状態を説明する。
【００８１】
図９に示すように、ユーザ（図示せず）が、クレードル２００の収納部２０１ａからポップアップしたハンドセット１００をＹ軸正方向に持ち上げると、まず、ハンドセット１００の凹部１０３の面１０３ｂと、クレードル２００のロック爪２０６の面２０６ｂと、が当接する。ユーザが、さらにハンドセット１００をＹ軸正方向に持ち上げると、凹部１０３の面１０３ｂがロック爪２０６の面２０６ｂをＹ軸正方向に押し上げる。これにより、ロック爪２０６は、孔２０６ｃに通された軸２０９を回転軸にして回動し、第５位置から第６位置へ移動する。そして、ロック爪２０６の爪先端２０６ｄは、ハンドセット１００の凹部１０３から、凹部１０３と底面１０４との境界付近に移動する。こうして、ハンドセット１００の凹部１０３は、ロック爪２０６との係合から開放され、ハンドセット１００は、クレードル２００から取り外すことが可能な状態となる。なお、ここでは、図９に示す状態は、ハンドセット１００の凹部１０３が、ロック爪２０６との係合から開放された直後の状態である。
【００８２】
そして、図１０に示すように、ユーザが、さらにハンドセット１００をＹ軸正方向に持ち上げることで、ハンドセット１００はクレードル２００から取り出される。このとき、ロック爪２０６は、バネ２０８に付勢されて、第６位置から第５位置へ戻る。
【００８３】
［１−２−２．ハンドセット収納動作］
次に、図７〜図１０を用いて、ハンドセット１００をクレードル２００の収納部２０１ａに収納するときの動作について説明する。
【００８４】
ユーザによってハンドセット１００がクレードル２００の収納部２０１ａに収納されるとき、ハンドセット１００は、まず、図１０に示すように、ハンドセット１００のＸ軸負方向側の端部（凹部１０３が設けられた正面側端部とは反対側の端部。以下、背面側端部ともいう）がクレードル２００の収納部２０１ａに差し込まれ、背面に設けられた凹部１０９が、クレードル２００の凸部２０１ｂに嵌め込まれる。
【００８５】
次に、ハンドセット１００のＸ軸正方向側の端部（凹部１０３が設けられた正面側の端部）が、ユーザによってクレードル２００の収納部２０１ａに（Ｙ軸負方向に）押し込まれると、第５位置にあるロック爪２０６の爪先端２０６ｄが、ハンドセット１００の底面１０４に当接する。
【００８６】
ハンドセット１００が、ユーザによってさらにクレードル２００の収納部２０１ａへ押し込まれると、ロック爪２０６の爪先端２０６ｄは、ハンドセット１００の底面１０４に押圧される。ハンドセット１００において底面１０４の面１０３ｂ近傍は丸みを帯びた形状に形成され、かつ爪先端２０６ｄも丸みを帯びた形状に形成されている。そのため、この押圧による下向き（Ｙ軸負方向）の力の一部は、ロック爪２０６を第５位置から第６位置方向へ回動させる力として働く。これにより、ロック爪２０６は回動する。こうして、ロック爪２０６は、第５位置から第６位置へ移動し、ロック爪２０６の爪先端２０６ｄは、図９に示すように、ハンドセット１００の凹部１０３と底面１０４との境界に移動する。なお、ここでは、図９に示す状態は、クレードル２００のロック爪２０６とハンドセット１００の凹部１０３とが係合する直前の状態である。
【００８７】
ハンドセット１００が、ユーザによってさらにクレードル２００の収納部２０１ａへ押し込まれると、ハンドセット１００の凹部１０３が、ロック爪２０６の爪先端２０６ｄへ移動する。ハンドセット１００の底面１０４との当接から開放されたロック爪２０６は、バネ２０８に付勢されて回動し、第６位置から第５位置へ移動する。こうして、図８に示すように、クレードル２００のロック爪２０６と、ハンドセット１００の凹部１０３と、が係合する。
【００８８】
ハンドセット１００が、ユーザによってさらにクレードル２００の収納部２０１ａへ押し込まれると、ロック爪２０６の面２０６ａに当接したハンドセット１００の凹部１０３の面１０３ａが、ロック爪２０６をＹ軸負方向に押圧する。これにより、ロック爪２０６はＹ軸負方向へ移動し、ロック爪２０６の移動に連動して、押し上げ部材２０７もＹ軸負方向へ移動する。こうして、押し上げ部材２０７は、第８位置から第７位置へ移動する。
【００８９】
押し上げ部材２０７が第７位置まで移動すると、可動部材２０４は、可動部材２０４の保持部材２０４ａに当接して可動部材２０４の可動範囲を制限していた押し上げ部材２０７の面２０７ｂから開放される。そして、可動部材２０４は、バネ２０５によりＸ軸負方向に付勢されて第４位置から第３位置へ移動し、第３位置に保持される。
【００９０】
ユーザがハンドセット１００を押し込む動作をやめると、押し上げ部材２０７は、バネ２１０によりＹ軸正方向に付勢される。しかし、可動部材２０４が第４位置から第３位置へ移動することで、可動部材２０４の保持部材２０４ａが押し上げ部材２０７の面２０７ａに当接し、押し上げ部材２０７の可動範囲は制限される。こうして、押し上げ部材２０７は第７位置に保持された状態となる。
【００９１】
また、可動部材２０４が第４位置から第３位置へ移動すると、可動部材２０４の被押圧部材２０４ｂと当接しているボタン２０２の爪２０２ａが、Ｘ軸負方向に移動する被押圧部材２０４ｂに押圧されてＹ軸正方向に移動する。これにより、ボタン２０２は、第２位置から第１位置へ移動する。
【００９２】
このようにして、ハンドセット１００は、図７に示すように、クレードル２００の収納部２０１ａに収納された状態となる。
【００９３】
なお、実施の形態に示す上下左右の各方向や正面、底面、側面、背面等の各方向は、相対的なものであり、絶対的なものではない。また、上述した各動作に示す方向は大まかな方向のことであり、厳密な方向を意味するものではない。
【００９４】
［１−３．効果等］
以上のように、本実施の形態において、クレードル装置は、第１凹部を有する端末装置を着脱可能に収納するように構成されている。このクレードル装置は、第２凹部と、ロック部材と、ポップアップ部材と、を備える。第２凹部は、端末装置の、第１凹部を含む少なくとも一部を収納可能である。ロック部材は、端末装置の第１凹部に係合可能に形成され、第２凹部に収納された端末装置の第１凹部に係合して端末装置を保持する。ポップアップ部材は、ロック部材と連結され、第１凹部に係合したロック部材を押し上げることで、端末装置を、ロック部材に保持された状態で、第２凹部から押し上げる。
【００９５】
また、本実施の形態において、クレードルセットは、第１凹部を有する端末装置と、端末装置を着脱可能に収納するクレードル装置と、を備える。クレードル装置は、第２凹部と、ロック部材と、ポップアップ部材と、を備える。第２凹部は、端末装置の、第１凹部を含む少なくとも一部を収納可能である。ロック部材は、端末装置の第１凹部に係合可能に形成され、第２凹部に収納された端末装置の第１凹部に係合して端末装置を保持する。ポップアップ部材は、ロック部材と連結され、第１凹部に係合したロック部材を押し上げることで、端末装置を、ロック部材に保持された状態で、第２凹部から押し上げる。
【００９６】
なお、クレードル２００はクレードル装置の一例である。ハンドセット１００は端末装置の一例である。クレードルセット１０００はクレードルセットの一例である。凹部１０３は端末装置が有する第１凹部の一例である。収納部２０１ａは第２凹部の一例である。ロック爪２０６はロック部材の一例である。押し上げ部材２０７はポップアップ部材の一例である。
【００９７】
このように構成されたクレードル装置（例えば、クレードル２００）では、端末装置（例えば、ハンドセット１００）は、クレードル装置に収納されているときだけでなく、クレードル装置からポップアップしたときも、ロック部材（例えば、ロック爪２０６）と端末装置の第１凹部（例えば、凹部１０３）との係合が維持される。これにより、端末装置は、クレードル装置からの脱落が防止される。したがって、ユーザがクレードル装置に収納された端末装置を取り出すときに、ユーザが端末装置を取り外しやすいように端末装置がクレードル装置からポップアップした状態のときであっても、ロック部材が端末装置を保持しているので、端末装置がクレードル装置から落下することが防止され、ユーザは安定に端末装置を取り出すことができる。
【００９８】
また、従来技術によるクレードル装置が比較的複雑な構成であるのに対し、本開示に示すクレードル装置は、比較的簡易な構成で実現することができる。
【００９９】
このクレードル装置において、ポップアップ部材は、端末装置が第２凹部に収納されるときに、端末装置の第１凹部に係合した状態で端末装置に押圧されるロック部材によって、押し下げられてもよい。
【０１００】
このクレードル装置において、ポップアップ部材は、端末装置が第２凹部に収納されているときの収納位置と、端末装置が第２凹部から押し上げられているときのポップアップ位置との間を移動可能であってもよい。ロック部材は、端末装置の第１凹部に係合するロック位置と、第１凹部との係合から外れる開放位置との間を移動可能であってもよい。
【０１０１】
なお、第５位置はロック位置の一例である。第６位置は開放位置の一例である。第７位置は収納位置の一例である。第８位置はポップアップ位置の一例である。
【０１０２】
このクレードル装置は、第２凹部に収納されているときに第２凹部の底面に対向する第１面および第１面に対向する第２面を有する第１凹部を備えた端末装置を第２凹部に収納してもよい。このクレードル装置において、ロック部材は、第３面と、第４面と、を備えていてもよい。第３面は、ロック位置において、第１凹部の第１面と当接可能であり、端末装置が第２凹部から押し上げられるときに第１面と当接して第１面を押圧し、端末装置が第２凹部に収納されるときに第１面と当接して第１面に押圧される面であってもよい。第４面は、ロック位置において第１凹部の第２面と当接可能であり、端末装置が第２凹部に収納されているとき、および、端末装置が第２凹部から押し上げられているときに、第１凹部の第２面と当接して端末装置を保持する面であってもよい。
【０１０３】
なお、面１０３ａは第１面の一例である。面１０３ｂは第２面の一例である。面２０６ａは第３面の一例である。面２０６ｂは第４面の一例である。
【０１０４】
このクレードル装置は、第１位置と第２位置との間を移動可能なボタンと、可動部材と、をさらに備えていてもよい。可動部材は、ポップアップ部材を収納位置に保持する第３位置と、ポップアップ部材の収納位置からポップアップ位置への移動が可能となる第４位置との間を移動可能であり、第１位置から第２位置に移動するボタンに押圧されて第３位置から第４位置に移動する部材であってもよい。
【０１０５】
なお、ボタン２０２はボタンの一例である。可動部材２０４は可動部材の一例である。実施の形態に示す第１位置は第１位置の一例であり、実施の形態に示す第２位置は第２位置の一例である。実施の形態に示す第３位置は第３位置の一例であり、実施の形態に示す第４位置は第４位置の一例である。
【０１０６】
このクレードル装置において、可動部材は、ポップアップ位置にあるポップアップ部材により第４位置に保持されてもよい。また、可動部材は、ポップアップ部材がポップアップ位置から収納位置に移動することで、第４位置から第３位置に移動してもよい。また、可動部材は、第４位置から第３位置に移動するときに、ボタンを押圧してボタンを第２位置から第１位置に移動させてもよい。
【０１０７】
このクレードル装置は、ポップアップ部材を収納位置からポップアップ位置に向けて付勢するポップアップバネを備えていてもよい。
【０１０８】
なお、バネ２１０はポップアップバネの一例である。
【０１０９】
このクレードル装置は、ロック部材を開放位置からロック位置に向けて付勢するロックバネを備えていてもよい。
【０１１０】
なお、バネ２０８はロックバネの一例である。
【０１１１】
このクレードル装置は、可動部材を第４位置から第３位置に向けて付勢するバネを備えていてもよい。
【０１１２】
なお、バネ２０５は、可動部材を第４位置から第３位置に向けて付勢するバネの一例である。
【０１１３】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【０１１４】
そこで、以下、他の実施の形態を例示する。
【０１１５】
実施の形態１では、ハンドセット１００とクレードル２００との間にケーブルを備えていない構成例を示したが、クレードルセット１０００は、ハンドセット１００とクレードル２００とを接続するケーブルを備えていてもよい。例えば、ハンドセット１００は、背面側端部に、クレードル２００に接続されたケーブルが接続されていてもよい。また、クレードル２００は、収納部２０１ａ内の、ハンドセット１００を収納部２０１ａに収納したときにハンドセット１００とケーブルとの接続箇所に対応する位置に、ケーブルを収納するためのケーブル収納口を備えていてもよい。
【０１１６】
また、実施の形態１では、ハンドセット１００がクレードル２００の収納部２０１ａに収納されているとき、およびハンドセット１００が収納部２０１ａからポップアップしたときに、ハンドセット１００の凹部１０３とクレードル２００のロック爪２０６とが係合し、ハンドセット１００の背面に設けられた凹部１０９にクレードル２００の凸部２０１ｂが嵌合することで、ハンドセット１００がクレードル２００に保持される構成例を説明した。しかし、クレードル２００は、凸部２０１ｂを備えていなくてもよく、ハンドセット１００は、背面に凹部１０９を備えていなくてもよい。
【０１１７】
例えば、上述した、ハンドセット１００がクレードル２００に接続されたケーブルを備え、クレードル２００が収納部２０１ａ内にケーブル収納口を備える構成例では、ハンドセット１００をクレードル２００の収納部２０１ａに収納する際に、ケーブルがケーブル収納口に収納されることでハンドセット１００の一端がクレードル２００に保持される。したがって、ケーブル収納口に収納されたケーブルと、ハンドセット１００とケーブルとの接続箇所とが、ハンドセット１００の背面に設けられた凹部１０９とクレードル２００の凸部２０１ｂとの嵌合の代替となる。そのため、この構成では、クレードル２００は、凸部２０１ｂを備えていなくてもよく、ハンドセット１００は、背面に凹部１０９を備えていなくてもよい。
【０１１８】
本実施の形態では、ロック爪２０６と押し上げ部材２０７とを軸２０９で連結する構成を説明したが、ロック爪２０６と押し上げ部材２０７とが一体的に形成されてもよい。
【０１１９】
本実施の形態では、ハンドセット１００の底面１０４の面１０３ｂ近傍を丸みを帯びた形状にし、ロック爪２０６の爪先端２０６ｄを丸みを帯びた形状にする構成例を説明した。しかし、本開示は何らこの構成に限定されない。この構成は、ハンドセット１００が、ユーザによってクレードル２００の収納部２０１ａへ押し込まれるときに、ハンドセット１００の底面１０４がロック爪２０６の爪先端２０６ｄを押圧する下向き（Ｙ軸負方向）の力の一部を、ロック爪２０６を第５位置から第６位置方向へ回動させる力に変化させるためである。したがって、この動作を実現することができれば、ハンドセット１００の底面１０４、およびロック爪２０６の爪先端２０６ｄは、どのような形状であってもよい。例えば、ハンドセット１００をクレードル２００の収納部２０１ａに収納するときに、最初に当接するロック爪２０６の爪先端２０６ｄとハンドセット１００の底面１０４との少なくとも一方を、Ｙ軸に対して斜めに形成することで、上述と同様の動作を実現することができる。
【０１２０】
なお、図面に示す各部品の形状は単なる一例であり、各部品は何ら図面に示す形状に限定されない。
【０１２１】
なお、上述の実施の形態は、本開示における技術を例示するためのものであるから、特許請求の範囲またはその均等の範囲において種々の変更、置き換え、付加、省略などを行うことができる。
【産業上の利用可能性】
【０１２２】
本開示は、端末装置を着脱可能に保持するクレードル装置に適用可能である。具体的には、航空機、鉄道車両、船舶、およびバス等の座席に設けられるクレードル装置等に、本開示は適用可能である。
【符号の説明】
【０１２３】
１００    ハンドセット
１０１    本体
１０２    ボタン
１０３，１０９    凹部
１０３ａ，１０３ｂ，２０６ａ，２０６ｂ，２０７ａ，２０７ｂ    面
１０４    底面
２００    クレードル
２０１    本体
２０１ａ    収納部
２０１ｂ    凸部
２０１ｃ    ボタン孔
２０２    ボタン
２０２ａ    爪
２０３    カバー
２０４    可動部材
２０４ａ    保持部材
２０４ｂ    被押圧部材
２０５，２０８，２１０    バネ
２０６    ロック爪
２０６ｃ    孔
２０６ｄ    爪先端
２０７    押し上げ部材
２０７ｃ    孔
２０９    軸
２１１    ベース部材
２１２    ネジ
１０００    クレードルセット
【図１】
2016158235.tif 000003
【図２】
2016158235.tif 000004
【図３Ａ】
2016158235.tif 000005
【図３Ｂ】
2016158235.tif 000006
【図４】
2016158235.tif 000007
【図５】
2016158235.tif 000008
【図６】
2016158235.tif 000009
【図７】
2016158235.tif 000010
【図８】
2016158235.tif 000011
【図９】
2016158235.tif 000012
【図１０】
2016158235.tif 000013